(57)【特許請求の範囲】
【請求項１】
車載装置に対して所定の情報を提供する携帯端末装置と前記車載装置とを有する情報提供システムであって、
前記携帯端末装置は、
文字データを含む提供情報を情報配信サーバ装置から取得する提供情報取得手段と、
前記提供情報の文字データの一部である部分データを音声合成サーバ装置へ送信するとともに、前記部分データを音声へ変換した音声データを当該音声合成サーバ装置から取得する音声データ取得手段と、
前記音声データを前記車載装置で再生させる指示を行う音声再生指示手段と、
前記車載装置から選択通知を受け付けた際の前記音声データに対応する前記提供情報を前記車載装置で表示させる指示を行う表示指示手段と
を備え、
前記車載装置は、
前記携帯端末装置から再生指示を受けた前記音声データを再生する再生手段と、
利用者による選択操作を受け付けた場合に、当該選択操作があった旨を表す前記選択通知を前記携帯端末装置へ通知する選択操作通知手段と、
前記携帯端末装置から表示指示を受けた情報を表示する表示手段と
を備えたことを特徴とする情報提供システム。
【請求項２】
前記表示指示手段は、
前記部分データのリストを前記車載装置で表示させる指示を行うとともに、前記音声再生指示手段による指示によって再生中の前記音声データに対応する前記部分データを強調表示させる指示を行うことを特徴とする請求項１に記載の情報提供システム。
【請求項３】
前記車載装置は、
当該車載装置が搭載された車両の走行状態を取得する走行状態取得手段
をさらに備え、
前記表示指示手段は、
前記走行状態取得手段によって車両が走行中である旨が取得された場合には、前記提供情報の表示指示を保留し、前記走行状態取得手段によって車両が停車中である旨が取得されたならば、保留中の前記表示指示を前記車載装置に対して行うことを特徴とする請求項１または２に記載の情報提供システム。
【請求項４】
前記提供情報取得手段は、
あらかじめ登録されたアドレスに対応するＷｅｂページを前記情報配信サーバ装置から取得するとともに、当該Ｗｅｂページから前記提供情報を抽出することを特徴とする請求項１、２または３に記載の情報提供システム。
【請求項５】
携帯端末装置から送信される情報を再生する車載装置であって、
前記携帯端末装置から送信された文字データの一部である部分データを表示する部分表示手段と、
前記携帯端末装置から送信された前記部分データの音声データを再生する再生手段と、
前記表示手段によって表示された前記部分データに基づいて利用者による選択操作を受け付けた場合に、当該選択操作を受け付けた旨を表す選択通知を前記携帯端末装置へ通知する選択操作通知手段と、
前記選択操作通知手段によって前記選択通知を通知されたことによって前記携帯端末装置から前記音声データに対応する前記文字データの表示指示を受け付けたならば、当該文字データを表示する表示手段と
を備えたことを特徴とする車載装置。
【発明の詳細な説明】
【技術分野】
【０００１】
この発明は、車載装置に対して所定の情報を提供する携帯端末装置と車載装置とを有する情報提供システムおよび車載装置に関し、特に、運転の安全性を損なうことなく、携帯端末への処理負荷を抑制することができる情報提供システムおよび車載装置に関する。
【背景技術】
【０００２】
従来、ポータルサイトに公開されているＷｅｂページの文字情報を取得し、取得した文字情報を音声合成処理して音声にて出力する携帯電話機等の携帯端末が知られている。たとえば、特許文献１には、情報配信サーバから配信されるテキストコンテンツを受信して、音声データに変換する情報提供システムおよび携帯端末が開示されている。
【０００３】
具体的には、特許文献１の情報提供システムおよび携帯端末は、情報配信サイトから受け取るコンテンツの種類に応じて、利用者が音声再生するかテキスト表示するかを選択することができる。そして、特許文献１の携帯端末は、利用者によって音声再生すると選択された場合に、所望のテキストコンテンツをダウンロードして、音声変換を行い、選択された内容の音声再生を行う。
【０００４】
また、特許文献１の情報提供システムおよび携帯端末では、かかるテキストコンテンツの見出しのみを音声出力するか、または、テキストコンテンツの本文を音声出力するかの選択も、利用者によって行うことができる。
【０００５】
これにより、特許文献１の携帯端末では、利用者によって二者択一で選択された見出しまたは本文のいずれかをダウンロードして、音声変換を行い、音声再生することとなる。
【先行技術文献】
【特許文献】
【０００６】
【特許文献１】特開２００７−３２３５１２号公報
【発明の概要】
【発明が解決しようとする課題】
【０００７】
しかしながら、特許文献１の技術を自動車等の車両で用いる場合には、以下に示す問題があった。すなわち、自動車を運転中のドライバーは、運転中に携帯端末の使用を禁じられているため、上記した選択操作自体を行うことができないという問題があった。
【０００８】
また、仮に、特許文献１の技術を自動車で用いることとしても、ドライバーに対して複数回の選択操作を強いてしまう結果となり、運転の安全性を確保することができないという問題もあった。
【０００９】
さらに、特許文献１のように音声変換を携帯端末で行うこととすると、携帯端末の製造コストが上昇するだけでなく、携帯端末への処理負荷がかかってしまうという問題もあった。これは、テキストコンテンツを音声変換する際、処理速度を高速で、かつ、より人間的で自然な音声変換を実現するためには、大容量で高いリソースを必要とするためである。
【００１０】
これらのことから、運転の安全性を損なうことなく、携帯端末への処理負荷を抑制することができる情報提供システムおよび車載装置をいかにして実現するかが大きな課題となっている。
【００１１】
この発明は、上述した従来技術による問題点を解消するためになされたものであり、運転の安全性を損なうことなく、携帯端末への処理負荷を抑制することができる情報提供システムおよび車載装置を提供することを目的とする。
【課題を解決するための手段】
【００１２】
上述した課題を解決し、目的を達成するため、本発明は、車載装置に対して所定の情報を提供する携帯端末装置と前記車載装置とを有する情報提供システムであって、前記携帯端末装置は、文字データを含む提供情報を情報配信サーバ装置から取得する提供情報取得手段と、前記提供情報の文字データの一部である部分データを音声合成サーバ装置へ送信するとともに、前記部分データを音声へ変換した音声データを当該音声合成サーバ装置から取得する音声データ取得手段と、前記音声データを前記車載装置で再生させる指示を行う音声再生指示手段と、前記車載装置から選択通知を受け付けた際の前記音声データに対応する前記提供情報を前記車載装置で表示させる指示を行う表示指示手段とを備え、前記車載装置は、前記携帯端末装置から再生指示を受けた前記音声データを再生する再生手段と、利用者による選択操作を受け付けた場合に、当該選択操作があった旨を表す前記選択通知を前記携帯端末装置へ通知する選択操作通知手段と、前記携帯端末装置から表示指示を受けた情報を表示する表示手段とを備えたことを特徴とする。
【００１３】
携帯端末装置から送信される情報を再生する車載装置であって、前記携帯端末装置から送信された文字データの一部である部分データを表示する部分表示手段と、前記携帯端末装置から送信された前記部分データの音声データを再生する再生手段と、前記表示手段によって表示された前記部分データに基づいて利用者による選択操作を受け付けた場合に、当該選択操作を受け付けた旨を表す選択通知を前記携帯端末装置へ通知する選択操作通知手段と、前記選択操作通知手段によって前記選択通知を通知されたことによって前記携帯端末装置から前記音声データに対応する前記文字データの表示指示を受け付けたならば、当該文字データを表示する表示手段とを備えたことを特徴とする。
【発明の効果】
【００１４】
本発明によれば、車載装置に対して所定の情報を提供する携帯端末装置と車載装置とを有する情報提供システムであって、携帯端末装置が、文字データを含む提供情報を情報配信サーバ装置から取得し、文字データの一部である部分データを音声合成サーバ装置へ送信するとともに、部分データを音声へ変換した音声データを当該音声合成サーバ装置から取得し、車載装置から所定の通知を受け付けた際に音声データに対応する提供情報を車載装置で表示させる指示を行い、車載装置が、携帯端末装置からの情報を表示し、音声データを再生し、利用者による選択操作を受け付けた場合に、当該選択操作があった旨を携帯端末装置へ通知することとしたので、運転の安全性を損なうことなく、携帯端末装置への処理負荷を抑制することができるという効果を奏する。
【００１５】
また、本発明によれば、携帯端末装置から送信される情報を再生する車載装置が、携帯端末装置から送信された文字データの一部である部分データを表示し、携帯端末装置から送信された部分データの音声データを再生し、表示された部分データに基づいて利用者による選択操作を受け付けた場合に、当該選択操作を受け付けた旨を携帯端末装置へ通知し、選択操作を受け付けた旨を通知されたことによって携帯端末装置から音声データに対応する文字データの表示指示を受け付けたならば、当該文字データを表示することとしたので、運転の安全性を損なうことなく、携帯端末装置への処理負荷を抑制することができるという効果を奏する。
【図面の簡単な説明】
【００１６】
【図１】図１は、本実施例に係る情報提供システムの概要を示す図である。
【図２】図２は、本実施例に係る情報提供システムの構成を示すブロック図その１である。
【図３】図３は、本実施例に係る情報提供システムの構成を示すブロック図その２である。
【図４】図４は、提供情報の一例を示す図である。
【図５】図５は、ＲＳＳフィード登録画面の一例を示す図である。
【図６】図６は、ＲＳＳフィードリスト表示画面の一例を示す図である。
【図７】図７は、標題データ表示画面の一例を示す図である。
【図８】図８は、提供情報の一例を示す図である。
【図９】図９は、ＡＶ（Audio  Visual）プロファイルを説明するための図である。
【図１０】図１０は、情報提供システムが実行する処理手順の概要を示すフローチャートその１である。
【図１１】図１１は、情報提供システムが実行する処理手順の概要を示すフローチャートその２である。
【図１２】図１２は、標題データ表示画面の一例を示す図である。
【発明を実施するための形態】
【実施例】
【００１７】
以下に添付図面を参照して、本発明に係る情報提供システムおよび車載装置の好適な実施例を詳細に説明する。なお、以下では、本発明に係る情報提供システムの概要について図１を用いて説明した後に、本発明に係る情報提供システムおよび車載装置についての実施例を図２〜図１２を用いて説明することとする。まず、本発明に係る情報提供システムの概要について図１を用いて説明する。
【００１８】
図１は、本発明に係る情報提供システムの概要を示す図である。本発明に係る情報提供システムでは、携帯端末装置が取得した標題および本文を含むＷｅｂページの情報のうち標題のみを音声データへ変換し、変換された音声データの再生中に選択操作を受け付けた場合に、選択された標題に対応する本文を表示する。
【００１９】
このように、本発明に係る情報提供システムでは、音声データを用いてメニュー選択の簡易化を図ることによって、車両を運転中のドライバーの負荷を軽減することができる点に主たる特徴がある。
【００２０】
図１に示すように、自動車に搭載されるＤＡ（Display  Audio）のような車載装置と携帯端末とが近距離無線通信機能で連携し、また、携帯端末はＷｅｂページが公開されている情報配信サーバや、文字列を音声データへ変換する音声合成サーバに接続するものとする。
【００２１】
ここで、ＤＡとは、表示機能やオーディオ再生機能、携帯端末装置との通信機能といった基礎的な機能のみを実装し、携帯端末装置と連携することで多機能化する車載装置を指す。
【００２２】
なお、情報配信サーバは、複数のＷｅｂページのタイトル、アドレス、標題、本文、要約、更新時刻などの情報を、規格化された形式で記述されたファイルであるＲＳＳ（Rich  Site  Summary）フィードを公開している。
【００２３】
そして、利用者は、携帯端末装置を介し、ＲＳＳフィードが格納されているアドレス、すなわち、ＵＲＬ（Uniform  Resource  Locator）へアクセスすることによって、かかるＲＳＳフィードの内容を取得する。
【００２４】
まず、携帯端末装置の所有者（ここではドライバー）は、予め携帯端末装置に搭載されるアプリケーション（以下、単に「アプリ」と記載する）に所望のＲＳＳフィードのＵＲＬを登録しておく。
【００２５】
そして、ドライバーは、自身の所有する携帯端末装置を車両へ持ち込んだ場合、ＲＳＳフィードを取得するアプリを起動させて、車載装置へ提供する提供情報を取得する。
【００２６】
具体的には、携帯端末装置のアプリは、予め登録されたＵＲＬへアクセスすることによってＲＳＳフィードから、標題データおよび本文データを抽出した情報である提供情報を取得する（図１の（１）参照）。
【００２７】
そして、携帯端末装置のアプリは、音声合成サーバへ標題データのみを送信し（図１の（２）参照）、音声合成サーバは標題データの文字列を音声へ変換し、音声データを生成する（図１の（３）参照）。つづいて、音声合成サーバは、生成された音声データを携帯端末装置へ送信し、携帯端末装置のアプリは、標題データとともに音声データを車載装置へ送信する。
【００２８】
一方、車載装置は、携帯端末装置から受信した標題データのリストをディスプレイへ表示するとともに、音声データを自車両に搭載されるスピーカー等から標題データごとに音声再生する（図１の（４）参照）。
【００２９】
ここで、標題データの音声再生中にドライバーによって所定の選択操作が行われた場合、たとえば、車載装置が備える所定のボタンや、車載装置のディスプレイに表示されたボタンが押下された場合、携帯端末装置のアプリは、かかる選択操作を受け付ける（図１の（５）参照）。
【００３０】
そして、携帯端末装置のアプリは、選択操作を受け付けたならば、音声再生中の標題データが選択されたものとみなし、選択された標題データに対応する本文データを含んだ本文表示指示を車載装置へ送信する（図１の（６）参照）。これにより、車載装置は、受信した本文データを表示する。
【００３１】
ところで、運転の安全性を確保するために、走行中に車載装置のディスプレイへ表示できる文字数の規制や、車載装置にて音声再生する文字数の制限が定められている。このため、本発明に係る情報提供システムでは、自車両が走行中であれば、上記した本文データの表示を保留し、自車両の停車後に、本文データをディスプレイへ表示することとした。
【００３２】
このように、本発明に係る情報提供システムは、携帯端末装置によって取得されたＷｅｂページの標題データのみを音声合成サーバによって音声データに変換する。また、携帯端末装置は、所定の標題データに対応する音声データの再生中に所定の選択操作が行われたならば、かかる標題データに対応する本文データを表示対象として決定する。
【００３３】
すなわち、本発明に係る情報提供システムでは、標題データおよび本文データの組からなる提供情報のうち、標題データのみを音声変換の対象とした。そして、音声データの再生中に所定の操作が行われたことをもって本文データの表示依頼がなされたとみなすことで、メニュー選択の簡易化を図ることとした。
【００３４】
したがって、本発明に係る情報提供システムによれば、車両を運転中のドライバーの負荷を軽減することによって、運転の安全性を確保しつつ利便性を向上させることができる。また、本発明に係る情報提供システムでは、音声変換を音声合成サーバへ依頼することとしたので、携帯端末への処理負荷を抑制することができる。
【００３５】
以下では、図１を用いて説明した本発明に係る情報提供システムについての実施例を詳細に説明する。まず、本実施例に係る情報提供システムの構成について図２および図３を用いて説明する。
【００３６】
図２は、本実施例に係る情報提供システム１の構成を示すブロック図その１であり、図３は、本実施例に係る情報提供システム１の構成を示すブロック図その２である。なお、図２および図３では、情報提供システム１の特徴点を説明するために必要な構成要素についてのみ記載している。
【００３７】
図２に示すように、情報提供システム１は、携帯端末装置１０と、車載装置２０と情報配信サーバ３０と、音声合成サーバ４０とを含んでいる。まず、携帯端末装置１０の構成について説明する。
【００３８】
図２に示すように、携帯端末装置１０は、近距離通信部１１と、通信Ｉ／Ｆ（インターフェース）１２と、記憶部１３と、制御部１４とを備えている。また、制御部１４は、提供情報取得部１４ａと、音声データ取得部１４ｂと、音声再生指示部１４ｃと、表示指示部１４ｄとをさらに備えており、記憶部１３は、提供情報１３ａと、音声データ１３ｂとを記憶する。
【００３９】
近距離通信部１１は、ブルートゥース（Bluetooth：登録商標）などの近距離無線通信を用いて車載装置２０との通信リンクをそれぞれ確立するとともに、確立した各通信リンクを用いて携帯端末装置１０と車載装置２０との間の通信処理を行う。
【００４０】
ここで、ブルートゥース（登録商標）とは、２．４ＧＨｚの周波数帯を用いて半径数１０ｍ程度の無線通信を行う近距離無線通信規格であり、近年では、携帯電話やパーソナルコンピュータなどの電子機器に広く適用されている。
【００４１】
ここでは、ブルートゥース（登録商標）を用いて携帯端末装置１０／車載装置２０間の通信を行う場合について説明するが、Ｗｉ−Ｆｉ（ワイファイ：登録商標）、ＺｉｇＢｅｅ（ジグビー：登録商標）といった他の無線通信規格を用いることとしてもよい。また、携帯端末装置１０／車載装置２０間の通信を有線通信で行うこととしてもよい。
【００４２】
通信Ｉ／Ｆ１２は、情報配信サーバ３０や音声合成サーバ４０との間で、無線電波を送受信する図示しないアンテナに接続されており、無線通信を行うための通信デバイスで構成されている。たとえば、通信Ｉ／Ｆ１２は、情報配信サーバ３０のＲＳＳフィードに含まれる提供情報を受信する。
【００４３】
記憶部１３は、不揮発性メモリやハードディスクドライブといった記憶デバイスで構成される記憶部である。この記憶部１３は、情報配信サーバ３０から取得したＲＳＳフィードに含まれる標題データおよび本文データを提供情報１３ａとして記憶する。なお、提供情報１３ａの詳細については後述することとする。
【００４４】
また、記憶部１３は、音声合成サーバ４０によって文字列から音声へ変換された音声データを音声データ取得部１４ｂで取得し、音声データ１３ｂとして記憶する。制御部１４は、携帯端末装置１０の全体制御を行う制御部である。
【００４５】
提供情報取得部１４ａは、予め登録されている図示しないＵＲＬに基づいて情報配信サーバ３０から複数の標題データおよび本文データを取得する。また、提供情報取得部１４ａは、取得した標題データおよび本文データを提供情報１３ａとして記憶させる処理を併せて行う。
【００４６】
ここで、走行中に車載装置２０のディスプレイへ表示できる文字数の規制や、車載装置２０にて音声再生する文字数の制限が定められている。したがって、提供情報取得部１４ａは、取得した標題データおよび本文データが制限を超えないように調整して、提供情報１３ａに記憶させる。
【００４７】
音声データ取得部１４ｂは、提供情報取得部１４ａが取得した標題データに基づいて音声合成サーバ４０から標題データの文字列から生成された音声データを取得する。また、音声データ取得部１４ｂは、取得した音声データを記憶部１３の音声データ１３ｂへ記憶させる処理を併せて行う。
【００４８】
音声再生指示部１４ｃは、車載装置２０に備える読上ボタン押下による音声再生操作を受け付けたならば、記憶部１３に記憶される音声データ１３ｂとともに音声再生指示を、標題データごとに車載装置２０へ送信する。
【００４９】
ここで、音声再生指示部１４ｃは、送信した音声データ１３ｂが再生中である旨を、提供情報１３ａへ登録するとともに、かかる音声データ１３ｂに対応する標題データを強調表示する強調表示指示を車載装置２０へ送信する処理を併せて行う。
【００５０】
その後、音声再生指示部１４ｃは、車載装置２０の音声再生部２５ｃから音声データ１３ｂの再生終了通知を受け付けたならば、次の標題データに対応する音声データ１３ｂとともに音声再生指示を車載装置２０へ送信し、すべての音声データ１３ｂについて上述した処理を繰り返す。
【００５１】
また、音声再生指示部１４ｃは、すべての音声データ１３ｂについて、音声再生指示とともに車載装置２０へ送信が終了したならば、記憶部１３の音声データ１３ｂを削除する。なお、記憶部１３の音声データ１３ｂを削除するタイミングは、提供情報取得部１４ａが、別の提供情報１３ａを取得したタイミングであってもよい。これにより、車載装置２０は、ドライバーが聞き逃したりすることによって、再度音声データ１３ｂを音声再生させる場合であっても、対応することができる。
【００５２】
表示指示部１４ｄは、提供情報取得部１４ａが取得した提供情報１３ａに記憶される標題データとともに標題データのリスト表示指示を車載装置２０へ送信する。また、表示指示部１４ｄは、音声データ１３ｂの再生中に車載装置２０から選択操作を受け付けたならば、かかる音声データ１３ｂに対応する標題データが選択されたものとして、選択された標題データに対応する本文データとともに本文表示指示を車載装置２０へ送信する。
【００５３】
なお、表示指示部１４ｄは、予め提供情報取得部１４ａによって記憶部１３に記憶された提供情報１３ａに含まれる本文データを車載装置２０へ送信する。しかし、車載装置２０から選択操作を受け付けた際に、選択された標題データに対応する本文データを情報配信サーバ３０に取得し、取得した本文データを車載装置２０へ送信することとしてもよい。これにより、携帯端末装置１０のリソースにかかる負担を軽減することができる。
【００５４】
ここで、表示指示部１４ｄは、本文表示指示を行う際、車両情報取得部２５ｄからの車両情報に基づいて本文表示指示を車載装置２０へ送信する。具体的には、表示処理部２５ｂは、車載装置２０を搭載した車両が停車中の場合は、本文表示指示を車載装置２０へ送信する。また、表示処理部２５ｂは、車両が走行中の場合は、本文表示指示を保留し、自車両が停止してから本文表示指示を車載装置２０へ送信する。
【００５５】
なお、表示指示部１４ｄは、車載装置２０を搭載した車両が停車中であるか走行中であるかを判定して本文表示指示を車載装置２０へ送信することとした。しかし、車載装置２０側で車両情報に基づいて表示指示部１４ｄから受信した本文データを表示するか保留するかを判定することとしてもよい。
【００５６】
つづいて、車載装置２０の構成について説明する。図２に示すように、車載装置２０は、近距離通信部２１と、表示操作部２２と、スピーカー２３と、センサ２４と、制御部２５とを備えている。また、制御部２５は、操作受付部２５ａと、表示処理部２５ｂと、音声再生部２５ｃと、車両情報取得部２５ｄとをさらに備えている。
【００５７】
近距離通信部２１は、近距離通信部１１と同様であるので、ここでは説明を省略する。表示操作部２２は、標題データや本文データを表示する表示部と、音声再生操作や標題データの選択操作を受け付ける操作部とを備えている。
【００５８】
たとえば、表示操作部２２の表示部には、標題データや本文データを表示するディスプレイを備えており、また、操作部には、音声再生操作を行う音声データの「読上ボタン」や標題データの選択操作を行うための音声再生の「停止ボタン」を備えている。
【００５９】
なお、表示操作部２２に備えるディスプレイや各種操作を行う構成部品を限定する必要はない。したがって、指やポインティングデバイスなどの押圧感知により入力を受け付け、かつ表示出力も兼ねるタッチパネル式の液晶ディスプレイを用いることとしてもよい。
【００６０】
また、ＨＵＤ（Head-Up  Display）等のディスプレイによってドライバー前方のフロントガラス部分に半透明状に構成してもよいし、ドライバー前方の計器部分に構成してもよいし、また、ドライバー前方のルームミラー部分に構成してもよい。
【００６１】
スピーカー２３は、音声データ１３ｂの再生や、ＣＤ（Compact  Disc）等の音楽データを再生するための音声出力機器である。ここでは、スピーカー２３を車載装置２０に備えるように構成したが、別体であるように構成してもよい。
【００６２】
センサ２４は、自車両の走行速度、走行距離、エンジンの回転速度、および、電圧等、種々の車両に関する情報（以下、「車両情報」と記載する）を検知する計測機器である。なお、センサ２４についても車載装置２０に備えるように構成したが、別体であるように構成してもよい。
【００６３】
制御部２５は、車載装置２０の全体制御を行う制御部である。操作受付部２５ａは、表示操作部２２からの各種操作を受け付けて、携帯端末装置１０へ渡す処理を行う処理部である。
【００６４】
具体的には、操作受付部２５ａは、ドライバーや同乗者によって音声データの「読上ボタン」が押下された場合は、音声再生操作を受け付けた旨を携帯端末装置１０へ送信する。また、操作受付部２５ａは、音声再生中に音声再生の「停止ボタン」が押下された場合は、再生中の音声データ１３ｂに対応する標題データが選択された旨を携帯端末装置１０へ送信する。
【００６５】
表示処理部２５ｂは、表示指示部１４ｄから標題データとともに標題データのリスト表示指示を受信したならば、表示操作部２２へ受信した標題データのリストを表示する処理を行う処理部である。なお、表示操作部２２のディスプレイの画面にすべての標題データが表示できない場合には、リストをスクロールさせてもよいし、複数の画面へ遷移するような表示手法によって表示させてもよい。
【００６６】
また、表示処理部２５ｂは、音声再生指示部１４ｃから受信した音声データ１３ｂに対応する標題データを強調表示する強調表示指示を表示指示部１４ｄから受信したならば、該当する標題データの強調表示処理を併せて行う。強調表示手法としては、たとえば、かかる標題データをブリンクさせてもよいし、かかる標題データの表意色を他の標題データとは異なる表示色で表示してもよい。また、標題データにカーソルがフォーカスされた状態と同様の表示としてもよい。
【００６７】
さらに、表示処理部２５ｂは、ドライバーによって選択された標題データに対応する本文データとともに本文表示指示を表示指示部１４ｄから受信したならば、ディスプレイへ受信した本文データを表示する処理を併せて行う。
【００６８】
音声再生部２５ｃは、音声再生指示部１４ｃから音声データ１３ｂとともに音声再生指示を受信したならば、受信した音声データ１３ｂをスピーカー２３によって再生する。また、音声再生部２５ｃは、再生が終了したならば、再生終了通知を音声再生指示部１４ｃへ送信する処理を併せて行う。
【００６９】
なお、音声再生部２５ｃでは、一つの標題データに対応する音声データ１３ｂの再生が終了したならば、ドライバーに対して選択するか否かのメッセージまたはベル音等によって報知することとしてもよい。また、次の標題データに対応する音声データ１３ｂを再生するまで、所定時間保留することとしてもよいし、ベル音等による報知とともに所定時間保留することとしてもよい。これによって、ドライバーが所望の標題データを選択するタイミングを逸機することを抑止することができる。
【００７０】
車両情報取得部２５ｄは、センサ２４によって検知された車両情報を取得して、携帯端末装置１０へ送信する。ここでは、車両情報は、自車両の走行速度であり、携帯端末装置１０は、走行速度によって車載装置２０を搭載した車両が停車中または走行中の判定を行う。なお、車両情報取得部２５ｄは、車両情報として、走行速度ではなく、自車両が停車中であるか、または、走行中であるかを送信することとしてもよい。
【００７１】
つぎに、情報配信サーバ３０および音声合成サーバ４０の構成について図３を用いて説明する。図３に示すように、情報配信サーバ３０は、通信Ｉ／Ｆ３１と、記憶部３２と、制御部３３とを備えている。また、制御部３３は、提供情報送信部３３ａをさらに備えており、記憶部３２は、Ｗｅｂページ３２ａを記憶する。
【００７２】
通信Ｉ／Ｆ３１は、携帯端末装置１０との間で、データの送受信を行うための通信デバイスで構成されている。たとえば、通信Ｉ／Ｆ３１は、携帯端末装置１０からＵＲＬとともに提供情報送信指示を受信する。
【００７３】
記憶部３２は、不揮発性メモリやハードディスクドライブといった記憶デバイスで構成される記憶部である。この記憶部３２は、ＲＳＳフィードやホームページのソース等のインターネット上で公開されている文書をＷｅｂページ３２ａとして記憶する。
【００７４】
制御部３３は、情報配信サーバ３０の全体制御を行う制御部である。提供情報送信部３３ａは、携帯端末装置１０からＵＲＬを受信したならば、ＵＲＬに格納されているＷｅｂページ３２ａの情報を携帯端末装置１０へ送信する。
【００７５】
具体的には、携帯端末装置１０から受信したＵＲＬにはＲＳＳフィードのアドレスが指定してあり、提供情報送信部３３ａは、指定されたＵＲＬに格納されているＲＳＳフィードから標題データおよび本文データを抽出して携帯端末装置１０へ送信する。
【００７６】
つづいて、音声合成サーバ４０の構成について説明する。図３に示すように、音声合成サーバ４０は、通信Ｉ／Ｆ４１と、記憶部４２と、制御部４３とを備えている。また、制御部４３は、文字列取得部４３ａと、音声変換部４３ｂと、音声データ送信部４３ｃとをさらに備えており、記憶部４２は、辞書情報４２ａを記憶する。
【００７７】
通信Ｉ／Ｆ４１は、携帯端末装置１０との間で、データの送受信を行うための通信デバイスで構成されている。たとえば、通信Ｉ／Ｆ４１は、携帯端末装置１０から標題データとともに音声データ変換指示を受信する。
【００７８】
記憶部４２は、不揮発性メモリやハードディスクドライブといった記憶デバイスで構成される記憶部である。この記憶部４２は、文字列を音声データへ変換する際に使用する辞書情報４２ａを記憶する。
【００７９】
制御部４３は、音声合成サーバ４０の全体制御を行う制御部である。文字列取得部４３ａは、携帯端末装置１０から標題データとともに音声データ変換指示を受信したならば、音声変換部４３ｂへ、標題データの文字列を渡す処理を行う処理部である。
【００８０】
音声変換部４３ｂは、文字列取得部４３ａから受け付けた標題データの文字列を辞書情報４２ａに基づいて音声へ変換し、音声データを生成して、音声データ送信部４３ｃへ渡す処理を行う処理部である。なお、辞書情報４２ａは必然ではなく、辞書情報４２ａを使用せずに音声へ変換することとしてもよい。
【００８１】
音声データ送信部４３ｃは、音声変換部４３ｂから受け付けた音声データを携帯端末装置１０の音声データ取得部１４ｂへ送信する処理を行う処理部である。
【００８２】
つぎに、携帯端末装置１０の記憶部１３に記憶される提供情報１３ａの詳細について図４を用いて説明する。図４は、提供情報１３ａの一例を示す図である。
【００８３】
図４に示すように、提供情報１３ａは、「標題」項目と、「本文」項目と、「音声データ」項目と、「再生中」項目と、「本文表示」項目とを含んでいる。なお、提供情報１３ａは、かかる項目で構成される情報を１レコードとしたレコードの集合体である。「標題」項目および「本文」項目は、提供情報取得部１４ａが受信した標題データおよび本文データである。
【００８４】
「音声データ」項目は、音声データ取得部１４ｂが取得した標題データごとの音声データ１３ｂのファイル名である。なお、「音声データ」項目はファイル名でなくてもよく、たとえば、音声データ１３ｂが記憶される記憶部１３のアドレスであってもよい。
【００８５】
また、図４に示したようなｍｐ３（MPEG  Audio  Layer-3）形式の音声データのファイルは、デジタル音声のための圧縮音声ファイルフォーマットである。しかし、音声データ１３ｂを音声再生する車載装置２０の性能によって最低限の圧縮形式となるよう、他のファイルフォーマットの音声データを使用することとしてもよい。
【００８６】
「再生中」項目は、標題データに対応する音声データ１３ｂが再生中であるか否かのフラグである。たとえば、音声データのファイル名が「０１．ｍｐ３」である音声データ１３ｂを音声再生部２５ｃへ送信したならば、かかる音声データ１３ｂは再生中であるとし、「再生中」項目に「ＯＮ」がセットされる（図４の１行目参照）。その後、音声再生部２５ｃから再生終了通知を受信したならば、かかる「再生中」項目には「ＯＦＦ」がセットされる。
【００８７】
「本文表示」項目は、どの本文データが選択されたかを示すフラグである。たとえば、音声データのファイル名が「０１．ｍｐ３」である音声データ１３ｂの再生中に車載装置２０から選択操作を受け付けた場合について説明する。この場合、「０１．ｍｐ３」である音声データ１３ｂに対応する標題データが選択されたものとして、「本文表示」項目に「ＯＮ」がセットされる（図４の１行目参照）。
【００８８】
つぎに、予め携帯端末装置１０に搭載されるアプリにドライバーの所望するＲＳＳフィードのＵＲＬを登録する処理について図５および図６を用いて説明する。図５は、ＲＳＳフィード登録画面の一例を示す図であり、図６は、ＲＳＳフィードリスト表示画面の一例を示す図である。
【００８９】
ＲＳＳフィードのＵＲＬを登録する際には、ドライバーは携帯端末装置１０に搭載されるアプリを起動し、図示しないメニュー等より「ＲＳＳフィード登録」を選択した場合、携帯端末装置１０のディスプレイには、図５に示すような登録画面が表示される。
【００９０】
そして、ドライバーは、「カテゴリ」を入力して、ＲＳＳフィードの「ＵＲＬ」を入力し、「登録」ボタンを押下すると、入力したＲＳＳフィードのＵＲＬがカテゴリごとにアプリに登録されることとなる。
【００９１】
なお、カテゴリは、「カテゴリ」の入力フィールド右に備える三角ボタンを押下することによって、アプリで予め分類された選択リストから選択することができてもよい。また、カテゴリを指定しないでＵＲＬの登録ができることとしてもよい。
【００９２】
また、携帯端末装置１０によって所望のＲＳＳフィードの内容が表示されているＵＲＬに直接アクセスして、ブラウザに表示した際に、図示しない「サブメニュー」の中の「ＲＳＳフィード登録」を選択することによって、表示中のＵＲＬがアプリに登録されることとしてもよい。
【００９３】
このようにして、登録したＲＳＳフィードのＵＲＬを、図６に示したように、カテゴリごとにリスト表示された画面によって、ドライバーは確認することができる。また、アプリでは、ドライバーによってリストの一部を選択され、「削除」ボタンが押下されたことによって選択されたＵＲＬを削除する。
【００９４】
つぎに、車載装置２０のディスプレイへ表示される標題データの表示画面について図７を用いて説明する。図７は、標題データ表示画面の一例を示す図である。ここでは、車載装置２０のディスプレイが、タッチパネル式の液晶ディスプレイである場合について説明する。
【００９５】
図７の（Ａ）に示すように、車載装置２０のディスプレイには標題データのリストが表示されており、画面には標題Ａ、Ｂ、Ｃが表示され、他の標題については、ドライバーはスクロールすることによって確認することができる。
【００９６】
また、ディスプレイには、タッチ操作によって操作指示が可能な「戻る」ボタン１０１や「読上」ボタン１０２が表示されている。車載装置２０は、「戻る」ボタン１０１がタッチされた場合に、前画面を表示する。前画面については、たとえば、標題データのカテゴリを選択する画面であってもよい。
【００９７】
「読上」ボタン１０２は音声再生操作を受け付けるボタンであり、車載装置２０は、「読上」ボタン１０２がタッチされた場合に、ディスプレイへ表示されている標題データの音声再生を行う。
【００９８】
ここで、音声再生中は、図７の（Ｂ）に示すように、「読上」ボタン１０２は、「停止」ボタン１０５へ変更され、選択操作を受け付けるボタンとなる。また、音声データ１３ｂが再生されている標題データは、強調表示される。図７の（Ｂ）には、標題Ｂの音声データ１３ｂが再生されている場合について示した。
【００９９】
「停止」ボタン１０５は選択操作を受け付けるボタンであり、車載装置２０は、「停止」ボタン１０５がタッチされた場合に、音声再生を停止し、自車両が停車中であれば、再生中であった音声データ１３ｂに対応する本文データの表示を行う。
【０１００】
なお、情報提供システム１では、各種操作ボタン押下によって音声再生操作や選択操作を受け付けていた。しかし、近年では、音声認識エンジンを搭載した携帯端末も普及してきている。
【０１０１】
そこで、情報提供システム１では、音声認識エンジンを搭載した携帯端末装置１０で構成されるようにしてもよい。また、ヘッドセットマイクなどのハンズフリーユニットによって携帯端末装置１０または車載装置２０へ音声入力できるような構成としてもよい。
【０１０２】
そして、音声入力された音声を携帯端末装置１０に搭載された音声認識エンジンによって解析し、文字データとして取り出し、所定の文字データを音声再生操作や選択操作として割り当てることとしてもよい。
【０１０３】
たとえば、携帯端末装置１０は、「よみあげ」と音声入力された場合には、音声再生操作を受け付けたものとし、また、「ほんぶん」と音声入力された場合には、選択操作を受け付けたものとして各操作に対応した処理を行う。これにより、ドライバーは、車載装置２０への手動操作を行う必要もなく、情報提供システム１は、運転の安全性を担保することができる。
【０１０４】
さて、これまでは、ディスプレイに表示されている操作ボタンについて説明した。自動車に搭載されるＤＡ（Display  Audio）のような車載装置２０のディスプレイには、ディスプレイへのタッチ操作による操作部の他に、画面枠部分等に操作ボタンを備えている。
【０１０５】
ここでは、図７の（Ａ）に示すように、車載装置２０のディスプレイにはＳＥＴボタン１０３や電源ボタン１０４を備えているとする。このような操作ボタンに、所定の機能を付与することとしてもよい。
【０１０６】
たとえば、ＳＥＴボタン１０３に、音声データ１３ｂが再生されている標題データだけでなく複数の標題データに対応する本文データを車載装置２０のディスプレイへ表示する場合の選択操作を受け付ける機能を付与した場合について図８を用いて説明する。
【０１０７】
図８は、提供情報１３ａの一例を示す図である。車載装置２０は、音声再生中にＳＥＴボタン１０３が押下された場合に、複数選択操作を受け付けた旨を表示指示部１４ｄへ送信し、音声再生を継続する。
【０１０８】
一方、表示指示部１４ｄは、音声データ１３ｂの再生中に車載装置２０から複数選択操作を受け付けたならば、かかる音声データ１３ｂに対応する標題データが選択されたものとして、提供情報１３ａの「本文表示」項目を「ＯＮ」にセットする。そして、音声再生中にＳＥＴボタン１０３が押下された場合には、上述した処理を繰り返す。
【０１０９】
その後、車載装置２０は、すべての音声データ１３ｂの音声再生が終了した時点、または、図示しない操作ボタン押下によって本文表示操作を受け付けた場合に、提供情報１３ａの「本文表示」項目が「ＯＮ」となっている本文データすべてをディスプレイへ表示する。このように、ドライバーは容易な操作によって、気になる標題データをブックマークして、自車両が停車した際に、ブックマークされた本文データを閲覧することができる。
【０１１０】
図８には、音声データのファイル名が「０１．ｍｐ３」および「０３．ｍｐ３」である音声データ１３ｂの再生中に車載装置２０からそれぞれ複数選択操作を受け付けた場合の提供情報１３ａについて示した（図８の１行目、３行目参照）。このような提供情報１３ａの場合、車載装置２０は、音声データのファイル名が「０１．ｍｐ３」および「０３．ｍｐ３」に対応する本文データをディスプレイへ表示することとなる。
【０１１１】
つぎに、車載装置２０に採用されるＡＶ（Audio  Visual）プロファイルについて図９を用いて説明する。図９は、ＡＶ（Audio  Visual）プロファイルを説明するための図である。
【０１１２】
ここで、ＡＶ（Audio  Visual）プロファイルとは、音響／映像関連の標準化された技術仕様において、音声／映像データを配信するための手順や使用するプロトコル等が規定されている仕様のことである。
【０１１３】
情報提供システム１では、ブルートゥース（登録商標）の近距離無線通信によって携帯端末装置１０で再生される音楽データを車載装置２０に備えるスピーカー２３へ音声出力する際、Ａ２ＤＰ（Advanced  Audio  Distribution  Profile）を使用している。なお、Ａ２ＤＰとは、ブルートゥース（登録商標）のＡＶプロファイルの一つである。
【０１１４】
また、情報提供システム１では、標題データが変換された音声データ１３ｂを再生する場合には、ＳＰＰ（Serial  Port  Profile）と呼ばれる機器間をシリアル接続するためのＡＶプロファイルを使用している。なお、使用するＡＶプロファイルについては、これに限定されるものではなく、他の構成にて実施されてよい。
【０１１５】
このように、情報提供システム１は、Ａ２ＤＰとＳＰＰとの二つの異なるＡＶプロファイルを使用することによって、双方の音声が干渉されることなく再生することができる。また、Ａ２ＤＰによって音楽データの再生中に音声データ１３ｂを再生する場合に、所定のスピーカー２３の出力レベルを、ＡＶプロファイルごとに変化させて音声再生することとしてもよい。
【０１１６】
具体的には、図９に示したように、車両の前方および後方の左右にスピーカー２３を設置した場合について説明する。まず、車両に設置された四つのスピーカー２３によって、音楽データが再生されていたとする。
【０１１７】
そこで、音声再生指示部１４ｃが音声再生操作を受け付けた場合に、音声データ１３ｂの音声再生指示を車載装置２０へ送信する。一方、車載装置２０は、音声再生指示を受信して、音声データ１３ｂを音声再生する際、所定のスピーカー２３のＡ２ＤＰによる出力レベルを下げることとする。
【０１１８】
たとえば、車載装置２０は、ドライバーの近傍のスピーカー２３であるスピーカーＢの出力レベルを、音声データ１３ｂに対してのみ出力レベルを上げ、音楽データに対してはミュート（無音）とする。
【０１１９】
また、その他のスピーカー２３であるスピーカーＡ，Ｃ，Ｄの出力レベルについては、音楽データに対してのみ出力レベルを上げ、音声データ１３ｂに対してミュートとする。このようにすることによって、ドライバー横に乗車している同乗者にとっては聞こえていた音楽データが遮断されることなく、ドライバーに対してのみ音声データ１３ｂが聞こえることとなる。
【０１２０】
つぎに、本実施例に係る携帯端末装置１０が実行する情報提供処理手順の詳細について図１０〜図１１を用いて説明する。図１０は、情報提供システムが実行する処理手順の概要を示すフローチャートその１であり、図１１は、情報提供システムが実行する処理手順の概要を示すフローチャートその２である。ここでは、車載装置２０から複数選択操作を受け付けた場合について説明する。
【０１２１】
図１０に示すように、提供情報取得部１４ａは、通信Ｉ／Ｆ１２経由で情報配信サーバ３０から提供情報１３ａを取得し（ステップＳ１０１）、音声データ取得部１４ｂは、音声合成サーバ４０から標題データの音声データ１３ｂを取得する（ステップＳ１０２）。
【０１２２】
そして、表示指示部１４ｄは、提供情報取得部１４ａが取得した提供情報１３ａに記憶される標題データとともに標題データのリスト表示指示を車載装置２０へ送信する（ステップＳ１０３）。
【０１２３】
そして、音声再生指示部１４ｃは、車載装置２０に備える読上ボタン押下による音声再生操作を受け付けたか否かを判定し（ステップＳ１０４）、音声再生操作を受け付けていないと判定された場合（ステップＳ１０４，Ｎｏ）、ステップＳ１０４の判定処理を繰り返す。
【０１２４】
一方、音声再生指示部１４ｃは、音声再生操作を受け付けたと判定された場合（ステップＳ１０４，Ｙｅｓ）、先頭レコードの提供情報１３ａへ移動し（ステップＳ１０５）、以下の処理を行う。
【０１２５】
音声再生指示部１４ｃは、かかるレコードの提供情報１３ａに対応する音声データ１３ｂがあるか否かを判定し（ステップＳ１０６）、音声データ１３ｂがある場合に（ステップＳ１０６，Ｙｅｓ）、提供情報１３ａの「再生中」項目を「ＯＮ」にセットする（ステップＳ１０７）。
【０１２６】
そして、音声再生指示部１４ｃは、音声データ１３ｂとともに音声再生指示を、車載装置２０へ送信する（ステップＳ１０８）。その後、表示指示部１４ｄは、音声データ１３ｂの再生中に車載装置２０から複数選択操作を受け付けたか否かを判定する（ステップＳ１０９）。
【０１２７】
表示指示部１４ｄは、音声データ１３ｂの再生中に車載装置２０から複数選択操作を受け付けた場合（ステップＳ１０９，Ｙｅｓ）、提供情報１３ａの「本文表示」項目を「ＯＮ」にセットする（ステップＳ１１０）。
【０１２８】
一方、表示指示部１４ｄは、音声データ１３ｂの再生中に車載装置２０から複数選択操作を受け付けなかった場合（ステップＳ１０９，Ｎｏ）、ステップＳ１１１へ処理を移行する。
【０１２９】
その後、音声再生指示部１４ｃは、音声再生部２５ｃから音声データ１３ｂの再生終了通知を受け付けたことによって再生が終了したものとして、提供情報１３ａの「再生中」項目を「ＯＦＦ」にセットする（ステップＳ１１１）。
【０１３０】
そして、音声再生指示部１４ｃは、次のレコードの提供情報１３ａへ移動して（ステップＳ１１２）、ステップＳ１０６へ処理を移行し、すべてのレコードの提供情報１３ａに対してステップＳ１０６〜ステップＳ１１２の処理を繰り返す。
【０１３１】
一方、音声再生指示部１４ｃは、ステップＳ１０６で、音声データ１３ｂがない場合に（ステップＳ１０６，Ｎｏ）、すべてのレコードの提供情報１３ａに対して処理が終了したものとして、ステップＳ１１３へ処理を移行する。
【０１３２】
ステップＳ１１３で、表示指示部１４ｄは、車両情報取得部２５ｄから受信した車両情報に基づいて車両が停車中であるか走行中であるかを判定し（ステップＳ１１３）、走行中である場合（ステップＳ１１３，Ｎｏ）、車両が停車中となるまでステップＳ１１３の判定処理を繰り返す。
【０１３３】
また、表示指示部１４ｄは、車両が停車中となった場合（ステップＳ１１３，Ｙｅｓ）、提供情報１３ａの「本文表示」項目が「ＯＮ」とセットされた標題データが選択されたのもとして、選択された標題データに対応する本文データとともに本文表示指示を車載装置２０へ送信して（ステップＳ１１４）、携帯端末装置１０が実行する一連の情報提供処理を終了する。
【０１３４】
このように、本発明に係る情報提供システム１は、携帯端末装置１０が取得した標題および本文を含むＷｅｂページの情報のうち標題のみを音声合成サーバ４０によって音声データ１３ｂへ変換し、変換された音声データ１３ｂを車載装置２０によって再生中に選択操作を受け付けた場合、選択された標題に対応する本文を車載装置２０のディスプレイへ表示することとしたので、本発明に係る情報提供システム１では、音声データによるメニュー選択の簡易化を図ることが可能となり、運転の安全性を損なうことなく、携帯端末への処理負荷を抑制することができる。
【０１３５】
なお、上述した実施例では、情報配信サーバ３０から取得したＷｅｂページ３２ａのＲＳＳフィードに含まれる標題データと本文データとを提供情報１３ａとする構成とした。しかし、このように、標題データおよび本文データの組合せは限定する必要はない。上記した構成以外にも、種々の異なる情報提供システム１の構成にて実施されてよいものである。
【０１３６】
以下では、提供情報１３ａの元データとなる対象を、電子メールの送受信を行うメールサーバから送受信した電子メールとして構成した場合について図１２を用いて説明する。図１２は、標題データ表示画面の一例を示す図である。
【０１３７】
この場合、携帯端末装置１０の提供情報取得部１４ａは、メールサーバから携帯端末装置１０宛の電子メールを取得して、件名および本文を提供情報１３ａとして記憶する。また、音声データ取得部１４ｂは、取得した電子メールの件名のみを音声データ１３ｂに変換し、車載装置２０によって音声再生される。
【０１３８】
ここで、図１２に示したように、車載装置２０のディスプレイには、件名リストが表示される。音声再生操作や選択操作については、上述した手法と同様であるので、ここでは説明を省略する。
【０１３９】
これにより、ドライバーは、運転中であっても自身の携帯端末装置１０に届いた電子メールの件名を音声で確認することができ、また、簡単な操作によって停車中に所望の電子メールの本文を視認することができる。
【産業上の利用可能性】
【０１４０】
以上のように、本発明に係る情報提供システムおよび車載装置は、車載装置を用いて選択操作が行われる場合に有用であり、特に、運転の安全性を損なうことなく、携帯端末への処理負荷を抑制させたい場合に適している。
【符号の説明】
【０１４１】
１    情報提供システム
１０  携帯端末装置
１１    近距離通信部
１２    通信Ｉ／Ｆ
１３    記憶部
１４    制御部
１４ａ  提供情報取得部
１４ｂ  音声データ取得部
１４ｃ  音声再生指示部
１４ｄ  表示指示部
２０    車載装置
２１    近距離通信部
２２    表示操作部
２３    スピーカー
２４    センサ
２５    制御部
２５ａ  操作受付部
２５ｂ  表示処理部
２５ｃ  音声再生部
２５ｄ  車両情報取得部
３０    情報配信サーバ
３１    通信Ｉ／Ｆ
３２    記憶部
３２ａ  Ｗｅｂページ
３３    制御部
３３ａ  提供情報送信部
４０    音声合成サーバ
４１    通信Ｉ／Ｆ
４２    記憶部
４２ａ  辞書情報
４３    制御部
４３ａ  文字列取得部
４３ｂ  音声変換部
４３ｃ  音声データ送信部
【図１】
0005548541.tif 000002
【図２】
0005548541.tif 000003
【図３】
0005548541.tif 000004
【図４】
0005548541.tif 000005
【図５】
0005548541.tif 000006
【図６】
0005548541.tif 000007
【図７】
0005548541.tif 000008
【図８】
0005548541.tif 000009
【図９】
0005548541.tif 000010
【図１０】
0005548541.tif 000011
【図１１】
0005548541.tif 000012
【図１２】
0005548541.tif 000013